(57)【特許請求の範囲】
【請求項１】
板状の被加熱物に接触させる加熱用接触面を対向させた状態で対向配置される一対の板状の蓄熱式加熱体が、一対の前記加熱用接触面にて前記被加熱物を挟む加熱用の接近状態と一対の前記加熱用接触面を離間させる加熱解除用の離間状態とに切換え自在に設けられた蓄熱式加熱装置であって、
一対の前記蓄熱式加熱体の夫々について、前記加熱用接触面から離れる側の背面部を加熱する加熱バーナが設けられ、
前記蓄熱式加熱体が、前記背面部を形成する被加熱用加熱体と前記加熱用接触面を形成する加熱用加熱体とを接続した形態に構成されている蓄熱式加熱装置。
【請求項２】
一対の前記蓄熱式加熱体の夫々の前記背面部に対向する端部壁面部、及び、一対の前記蓄熱式加熱体の側周部に対向する側部壁面部を備えて、一対の前記蓄熱式加熱体を収納する収納空間を形成する炉壁が設けられ、
前記炉壁における前記端部壁面部と前記蓄熱式加熱体の前記背面部との間に相当する箇所に、前記加熱バーナが配置されている請求項１記載の蓄熱式加熱装置。
【請求項３】
前記収納空間が、前記蓄熱式加熱体の側周部と当該側周部に対向する前記側部壁面部との間を仕切る仕切壁によって、前記加熱バーナが配置される燃焼空間と前記被加熱物が配置される被加熱物収納空間とに区画されている請求項２記載の蓄熱式加熱装置。
【請求項４】
板状の被加熱物に接触させる加熱用接触面を対向させた状態で対向配置される一対の板状の蓄熱式加熱体が、一対の前記加熱用接触面にて前記被加熱物を挟む加熱用の接近状態と一対の前記加熱用接触面を離間させる加熱解除用の離間状態とに切換え自在に設けられた蓄熱式加熱装置であって、
一対の前記蓄熱式加熱体の夫々について、前記加熱用接触面から離れる側の背面部を加熱する加熱バーナが設けられ、
一対の前記蓄熱式加熱体の夫々の前記背面部に対向する端部壁面部、及び、一対の前記蓄熱式加熱体の側周部に対向する側部壁面部を備えて、一対の前記蓄熱式加熱体を収納する収納空間を形成する炉壁が設けられ、
前記炉壁における前記端部壁面部と前記蓄熱式加熱体の前記背面部との間に相当する箇所に、前記加熱バーナが配置され、
前記収納空間が、前記蓄熱式加熱体の側周部と当該側周部に対向する前記側部壁面部との間を仕切る仕切壁によって、前記加熱バーナが配置される燃焼空間と前記被加熱物が配置される被加熱物収納空間とに区画されている蓄熱式加熱装置。
【請求項５】
前記仕切壁が、前記燃焼空間の燃焼ガスの一部が前記被加熱物収納空間に流動することを許容する形態で設けられている請求項３又は４記載の蓄熱式加熱装置。 
【発明の詳細な説明】
【技術分野】
【０００１】
本発明は、板状の被加熱物に接触させる加熱用接触面を対向させた状態で対向配置される一対の板状の蓄熱式加熱体が、一対の前記加熱用接触面にて前記被加熱物を挟む加熱用の接近状態と一対の前記加熱用接触面を離間させる加熱解除用の離間状態とに切換え自在に設けられた蓄熱式加熱装置に関する。
【背景技術】
【０００２】
かかる蓄熱式加熱装置は、一対の蓄熱式加熱体を、一対の加熱用接触面にて被加熱物を挟む加熱用の接近状態にすることにより、蓄熱式加熱体が保有する熱を被加熱物に熱伝導することによって、被加熱物を迅速に加熱することができるものである。
【０００３】
このような蓄熱式加熱装置の従来例として、一対の蓄熱式加熱体の背部に、加熱用のヒータを設けたものがある（例えば、特許文献１参照。）。
【０００４】
ちなみに、特許文献１においては、被加熱物が、焼き戻しする処理品であり、一対の蓄熱式加熱体が、焼き戻しする処理品を加圧状態で挟む金型として構成され、そして、金型が、２５０℃〜５００℃に加熱されることが記載されている。
【先行技術文献】
【特許文献】
【０００５】
【特許文献１】登録実用新案第３０１４９１０号公報
【発明の概要】
【発明が解決しようとする課題】
【０００６】
蓄熱式加熱装置においては、一対の蓄熱式加熱体を、一対の加熱用接触面にて被加熱物を挟む加熱用の接近状態にすると、蓄熱式加熱体が保有する熱が被加熱物に熱伝導されることになるから、被加熱物を順次供給しながら、被加熱物を効率良く加熱処理するためには、蓄熱式加熱体から被加熱物に熱伝導される分に相当する熱量を、蓄熱式加熱体に迅速に与える必要がある。
【０００７】
しかしながら、従来の蓄熱式加熱装置においては、一対の蓄熱式加熱体を加熱用のヒータにて加熱するものであるから、一対の蓄熱式加熱体を加熱する速度を十分に速くすることができないため、被加熱物を効率良く加熱処理することができないものであった。
【０００８】
つまり、加熱用のヒータにて加熱する場合において、一対の蓄熱式加熱体を加熱する速度を十分に速くするには、加熱用のヒータに大電流を通電することになる。しかしながら、加熱用のヒータに大電流を通電すると、断線等のトラブルを発生する虞があるため、一対の蓄熱式加熱体を加熱用のヒータにて加熱する場合には、一対の蓄熱式加熱体を加熱する速度を十分に速くすることができないものとなる。
【０００９】
本発明は、上記実状に鑑みて為されたものであって、その目的は、被加熱物を効率良く加熱処理することができる蓄熱式加熱装置を提供する点にある。
【課題を解決するための手段】
【００１０】
本発明の蓄熱式加熱装置は、板状の被加熱物に接触させる加熱用接触面を対向させた状態で対向配置される一対の板状の蓄熱式加熱体が、一対の前記加熱用接触面にて前記被加熱物を挟む加熱用の接近状態と一対の前記加熱用接触面を離間させる加熱解除用の離間状態とに切換え自在に設けられたものであって、その特徴構成は、
一対の前記蓄熱式加熱体の夫々について、前記加熱用接触面から離れる側の背面部を加熱する加熱バーナが設けられ、
前記蓄熱式加熱体が、前記背面部を形成する被加熱用加熱体と前記加熱用接触面を形成する加熱用加熱体とを接続した形態に構成されている点にある。 
【００１１】
すなわち、一対の蓄熱式加熱体の加熱用接触面から離れる側の背面部を、加熱バーナによって加熱することにより、一対の蓄熱式加熱体を加熱することになる。
【００１２】
加熱バーナは、加熱量を十分に大きくすることができるものであるから、一対の蓄熱式加熱体を加熱する速度を十分に速くすることができるため、蓄熱式加熱体から被加熱物に熱伝導される分に相当する熱量を、蓄熱式加熱体に迅速に与えることにより、被加熱物を順次供給しながら、被加熱物を効率良く加熱処理することができる。
【００１３】
つまり、一対の蓄熱式加熱体を、一対の加熱用接触面にて被加熱物を挟む加熱用の接近状態にすると、蓄熱式加熱体が保有する熱が被加熱物に熱伝導されることになるから、被加熱物を順次供給しながら、被加熱物を効率良く加熱処理するには、蓄熱式加熱体から被加熱物に熱伝導される分に相当する熱量を、蓄熱式加熱体に迅速に与える必要がある。
【００１４】
上記特徴構成によれば、加熱量を十分に大きくできる加熱バーナにて蓄熱式加熱体を加熱することにより、一対の蓄熱式加熱体を加熱する速度を十分に速くすることができるため、被加熱物を順次供給しながら、被加熱物を効率良く加熱処理することができるのである。
【００１５】
要するに、本発明の蓄熱式加熱装置によれば、被加熱物を効率良く加熱処理することができる。
【００１７】
また、蓄熱式加熱体が、加熱バーナにて加熱される背面部を形成する被加熱用加熱体と、被加熱物に接触する加熱用接触面を形成する加熱用加熱体とを接続した形態に構成されているから、加熱バーナによる蓄熱式加熱体の加熱を良好に行いながら、被加熱物を良好に加熱することができる。 
【００１８】
つまり、被加熱用加熱体を、加熱バーナにて加熱されるのに適する材料にて形成し、また、加熱用加熱体を、被加熱物に接触する加熱用接触面を精度良く形成するのに適する材料にて形成する等、被加熱用加熱体と加熱用加熱体とを、夫々の目的に応じた材料にて形成することができるため、加熱バーナによる蓄熱式加熱体の加熱を良好に行いながら、被加熱物を良好に加熱することができる。
【００１９】
要するに、本発明の蓄熱式加熱装置の特徴構成によれば、加熱バーナによる蓄熱式加熱体の加熱を良好に行いながら、被加熱物を良好に加熱することができる。 
【００２０】
また、本発明の蓄熱式加熱装置の更なる特徴構成は、一対の前記蓄熱式加熱体の夫々の前記背面部に対向する端部壁面部、及び、一対の前記蓄熱式加熱体の側周部に対向する側部壁面部を備えて、一対の前記蓄熱式加熱体を収納する収納空間を形成する炉壁が設けられ、
前記炉壁における前記端部壁面部と前記蓄熱式加熱体の前記背面部との間に相当する箇所に、前記加熱バーナが配置されている点にある。
【００２１】
尚、上記特徴構成における「前記炉壁における前記端部壁面部と前記蓄熱式加熱体の前記背面部との間に相当する箇所」とは、一対の蓄熱式加熱体の並び方向において、炉壁の端部壁面部と蓄熱式加熱体の背面部との間に相当する箇所であればよく、一対の蓄熱式加熱体の並び方向に沿う方向視において、炉壁の端部壁面部と蓄熱式加熱体の背面部とが重複する空間及び炉壁の端部壁面部と蓄熱式加熱体の背面部とが重複しない空間を含むものである。
【００２２】
すなわち、一対の前記蓄熱式加熱体を収納する収納空間を形成する炉壁が設けられて、一対の蓄熱式加熱体が、炉壁の内部の収納空間に収納されているから、蓄熱式加熱体が保有する熱が外部に逃げるのを抑制して、蓄熱式加熱体の加熱するために必要なエネルギー量を減少させることができる。
【００２３】
また、炉壁における蓄熱式加熱体の背面部に対向する端部壁面部と蓄熱式加熱体の背面部との間に相当する箇所に、加熱バーナが配置されているから、加熱バーナにて発生した熱が外部に逃げることを抑制しながら、蓄熱式加熱体の背面部を効率良く加熱することができるため、この点においても、蓄熱式加熱体の加熱するために必要なエネルギー量を減少させることができる。
【００２４】
要するに、本発明の蓄熱式加熱装置の更なる特徴構成によれば、蓄熱式加熱体の加熱するために必要なエネルギー量を減少させることができる。
【００２５】
また、本発明の蓄熱式加熱装置の更なる特徴構成は、前記収納空間が、前記蓄熱式加熱体の側周部と当該側周部に対向する前記側部壁面部との間を仕切る仕切壁によって、前記加熱バーナが配置される燃焼空間と前記被加熱物が配置される被加熱物収納空間とに区画されている点にある。
【００２６】
すなわち、炉体の内部の収納空間が、蓄熱式加熱体の側周部と当該側周部に対向する側部壁面部との間を仕切る仕切壁によって、加熱バーナが配置される燃焼空間と被加熱物が配置される被加熱物収納空間とに区画されているから、燃焼空間の熱が、被加熱物収納空間に多量に流れることを抑制して、燃焼空間の内部温度を上昇させることができる。
【００２７】
したがって、蓄熱式加熱体の背面部を加熱する燃焼空間の内部温度を上昇させることができるから、蓄熱式加熱体を加熱する速度を一層速くすることができるため、蓄熱式加熱体から被加熱物に熱伝導される分に相当する熱量を、蓄熱式加熱体に極力迅速に与えるようにして、被加熱物を順次供給しながら、被加熱物を一層効率良く加熱処理することができる。
【００２８】
要するに、本発明の蓄熱式加熱装置の更なる特徴構成によれば、被加熱物を一層効率良く加熱処理することができる。
本発明の蓄熱式加熱装置は、板状の被加熱物に接触させる加熱用接触面を対向させた状態で対向配置される一対の板状の蓄熱式加熱体が、一対の前記加熱用接触面にて前記被加熱物を挟む加熱用の接近状態と一対の前記加熱用接触面を離間させる加熱解除用の離間状態とに切換え自在に設けられたものであって、その特徴構成は、
一対の前記蓄熱式加熱体の夫々について、前記加熱用接触面から離れる側の背面部を加熱する加熱バーナが設けられ、
一対の前記蓄熱式加熱体の夫々の前記背面部に対向する端部壁面部、及び、一対の前記蓄熱式加熱体の側周部に対向する側部壁面部を備えて、一対の前記蓄熱式加熱体を収納する収納空間を形成する炉壁が設けられ、
前記炉壁における前記端部壁面部と前記蓄熱式加熱体の前記背面部との間に相当する箇所に、前記加熱バーナが配置され、
前記収納空間が、前記蓄熱式加熱体の側周部と当該側周部に対向する前記側部壁面部との間を仕切る仕切壁によって、前記加熱バーナが配置される燃焼空間と前記被加熱物が配置される被加熱物収納空間とに区画されている点にある。
尚、上記特徴構成における「前記炉壁における前記端部壁面部と前記蓄熱式加熱体の前記背面部との間に相当する箇所」とは、一対の蓄熱式加熱体の並び方向において、炉壁の端部壁面部と蓄熱式加熱体の背面部との間に相当する箇所であればよく、一対の蓄熱式加熱体の並び方向に沿う方向視において、炉壁の端部壁面部と蓄熱式加熱体の背面部とが重複する空間及び炉壁の端部壁面部と蓄熱式加熱体の背面部とが重複しない空間を含むものである。
すなわち、一対の蓄熱式加熱体の加熱用接触面から離れる側の背面部を、加熱バーナによって加熱することにより、一対の蓄熱式加熱体を加熱することになる。
加熱バーナは、加熱量を十分に大きくすることができるものであるから、一対の蓄熱式加熱体を加熱する速度を十分に速くすることができるため、蓄熱式加熱体から被加熱物に熱伝導される分に相当する熱量を、蓄熱式加熱体に迅速に与えることにより、被加熱物を順次供給しながら、被加熱物を効率良く加熱処理することができる。
つまり、一対の蓄熱式加熱体を、一対の加熱用接触面にて被加熱物を挟む加熱用の接近状態にすると、蓄熱式加熱体が保有する熱が被加熱物に熱伝導されることになるから、被加熱物を順次供給しながら、被加熱物を効率良く加熱処理するには、蓄熱式加熱体から被加熱物に熱伝導される分に相当する熱量を、蓄熱式加熱体に迅速に与える必要がある。
上記特徴構成によれば、加熱量を十分に大きくできる加熱バーナにて蓄熱式加熱体を加熱することにより、一対の蓄熱式加熱体を加熱する速度を十分に速くすることができるため、被加熱物を順次供給しながら、被加熱物を効率良く加熱処理することができるのである。
要するに、本発明の蓄熱式加熱装置によれば、被加熱物を効率良く加熱処理することができる。
また、一対の前記蓄熱式加熱体を収納する収納空間を形成する炉壁が設けられて、一対の蓄熱式加熱体が、炉壁の内部の収納空間に収納されているから、蓄熱式加熱体が保有する熱が外部に逃げるのを抑制して、蓄熱式加熱体の加熱するために必要なエネルギー量を減少させることができる。
また、炉壁における蓄熱式加熱体の背面部に対向する端部壁面部と蓄熱式加熱体の背面部との間に相当する箇所に、加熱バーナが配置されているから、加熱バーナにて発生した熱が外部に逃げることを抑制しながら、蓄熱式加熱体の背面部を効率良く加熱することができるため、この点においても、蓄熱式加熱体の加熱するために必要なエネルギー量を減少させることができる。
要するに、本発明の蓄熱式加熱装置の特徴構成によれば、蓄熱式加熱体の加熱するために必要なエネルギー量を減少させることができる。
また、炉体の内部の収納空間が、蓄熱式加熱体の側周部と当該側周部に対向する側部壁面部との間を仕切る仕切壁によって、加熱バーナが配置される燃焼空間と被加熱物が配置される被加熱物収納空間とに区画されているから、燃焼空間の熱が、被加熱物収納空間に多量に流れることを抑制して、燃焼空間の内部温度を上昇させることができる。
したがって、蓄熱式加熱体の背面部を加熱する燃焼空間の内部温度を上昇させることができるから、蓄熱式加熱体を加熱する速度を一層速くすることができるため、蓄熱式加熱体から被加熱物に熱伝導される分に相当する熱量を、蓄熱式加熱体に極力迅速に与えるようにして、被加熱物を順次供給しながら、被加熱物を一層効率良く加熱処理することができる。
要するに、本発明の蓄熱式加熱装置の特徴構成によれば、被加熱物を一層効率良く加熱処理することができる。
【００２９】
また、本発明の蓄熱式加熱装置の更なる特徴構成は、前記仕切壁が、前記燃焼空間の燃焼ガスの一部が前記被加熱物収納空間に流動することを許容する形態で設けられている点にある。
【００３０】
すなわち、加熱バーナが配置される燃焼空間の燃焼ガスの一部が、被加熱物が配置される被加熱物収納空間に流動することになるから、被加熱物収納空間の温度をも上昇させて、高温の被加熱物収納空間の内部にて、蓄熱式加熱体と被加熱物とを接触させることができる。
【００３１】
したがって、蓄熱式加熱体が保有する熱が被加熱物収納空間に放熱されることを抑制して、蓄熱式加熱体の温度低下を抑制しながら、蓄熱式加熱体と被加熱物とを接触させることができるため、被加熱物を一層効率良く加熱処理することができる。
【００３２】
要するに、本発明の蓄熱式加熱装置の更なる特徴構成によれば、蓄熱式加熱体の温度低下を抑制しながら、被被加熱物を一層効率良く加熱処理することができる。
【図面の簡単な説明】
【００３３】
【図１】蓄熱式加熱装置の縦断正面図
【図２】図１におけるＩＩ−ＩＩ線断面図
【発明を実施するための形態】
【００３４】
以下、本発明の実施形態を図面に基づいて説明する。
（蓄熱式加熱装置の全体構成）
図１に示すように、上下一対の蓄熱式加熱体Ｋが、板状の被加熱物Ｗに接触させる加熱用接触面Ｓを対向させた状態で対向配置され、一対の蓄熱式加熱体Ｋの夫々に対して、加熱用接触面Ｓから離れる側の背面部を加熱する加熱バーナＢが設けられている。
一対の蓄熱式加熱体Ｋは、金属材にて被加熱物Ｗよりも厚さが厚い板状に形成されている。
【００３５】
一対の蓄熱式加熱体Ｋのうちの下方側の蓄熱式加熱体Ｋが、支持台１に載置支持され、一対の蓄熱式加熱体Ｋのうちの上方側の蓄熱式加熱体Ｋが、流体圧シリンダ２にて昇降自在に支持されている。
したがって、一対の蓄熱式加熱体Ｋが、上方側の蓄熱式加熱体Ｋの昇降により、一対の加熱用接触面Ｓにて被加熱物Ｗを挟む加熱用の接近状態と一対の加熱用接触面Ｓを離間させる加熱解除用の離間状態とに切換え自在に構成されている。
【００３６】
そして、本実施形態においては、一対の加熱用接触面Ｓにて被加熱物Ｗを挟む加熱用の接近状態において、流体圧シリンダ２にて上方側の蓄熱式加熱体Ｋを下方側に向けて設圧圧力にて押圧することによって、一対の蓄熱式加熱体Ｋにて被加熱物Ｗを加圧状態で挟むことにより、被加熱物形状の矯正と硬さの調整を行うように構成されている。
【００３７】
ちなみに、本実施形態においては、被加熱物Ｗは、厚さが２〜７ｍｍ程度で、かつ、直径が３００ｍｍ程度の薄肉の円盤であり、材質が機械構造用炭素鋼（ＳＣ材）ある。
そして、焼き入れ後の焼き戻しのために、例えば、５００℃の一対の蓄熱式加熱体Ｋにて被加熱物Ｗを加圧状態で挟むことを、６０秒間継続する形態で行うことになり、この場合、被加熱物Ｗは、一対の蓄熱式加熱体Ｋにて挟まれてから６０秒後には、例えば、４８０℃に昇温する状態となる。
【００３８】
（蓄熱式加熱体の詳細）
一対の蓄熱式加熱体Ｋは、背面部を形成する被加熱用加熱体ＫＢと加熱用接触面Ｓを形成する加熱用加熱体ＫＡとを密着状態に接続した形態に構成されている。
【００３９】
被加熱用加熱体ＫＢは、加熱バーナＢにて加熱されるのに適する材料、例えば、ＳＳ材、ＳＢ材、ステンレス鋼等を用いて構成されている。
加熱用加熱体ＫＡは、被加熱物Ｗに接触して押圧するのに適する材料、例えば、ＳＳ材、ＳＫＤ材、ＳＫＨ材等を用いて構成されている。
【００４０】
被加熱用加熱体ＫＢ及び加熱用加熱体ＫＡは、平面視形状が矩形状であり、そして、被加熱用加熱体ＫＢの方が、加熱用加熱体ＫＡよりも、外形及び厚さが大きくなるように形成されている。
【００４１】
（炉壁について）
図１及び図２に示すように、一対の蓄熱式加熱体Ｋの夫々の背面部に対向する一対の端部壁面部Ｒｔ、及び、一対の蓄熱式加熱体Ｋの側周部に対向する４つの側部壁面部Ｒｓを備える炉壁Ｒが設けられ、炉壁Ｒの内部に、一対の蓄熱式加熱体Ｋを収納する収納空間Ｕが形成されている。
ちなみに、一対の端部壁面部Ｒｔのうちの下方側の端部壁面部Ｒｔが、炉受枠３にて載置支持されている。
【００４２】
そして、加熱バーナＢが、炉壁Ｒにおける端部壁面部Ｒｔと蓄熱式加熱体Ｋの背面部との間に相当する箇所に、側部壁面部Ｒｓに支持される形態で設けられている。
尚、炉壁Ｒにおける端部壁面部Ｒｔと蓄熱式加熱体Ｋの背面部との間に相当する箇所とは、一対の蓄熱式加熱体Ｋの並び方向において、炉壁Ｒの端部壁面部Ｒｔと蓄熱式加熱体Ｋの背面部との間に相当する箇所であればよく、一対の蓄熱式加熱体Ｋの並び方向に沿う方向視において、炉壁Ｒの端部壁面部Ｒｔと蓄熱式加熱体Ｋの背面部とが重複する空間及び炉壁Ｒの端部壁面部Ｒｔと蓄熱式加熱体Ｋの背面部とが重複しない空間を含むものである。
【００４３】
炉壁Ｒの内部の収納空間Ｕが、蓄熱式加熱体Ｋの側周部と当該側周部に対向する側部壁面部Ｒｓとの間を仕切る仕切壁Ｒｄによって、加熱バーナＢが配置される燃焼空間Ｕｎと被加熱物Ｗが配置される被加熱物収納空間Ｕｈとに区画されている。
【００４４】
また、仕切壁Ｒｄが、燃焼空間Ｕｎの燃焼ガスの一部が被加熱物収納空間Ｕｈに流動することを許容する形態で設けられている。
つまり、仕切壁Ｒｄに、燃焼空間Ｕｎと被加熱物収納空間Ｕｈとを連通する連通孔４が形成されることによって、燃焼空間Ｕｎの燃焼ガスの一部が被加熱物収納空間Ｕｈに流動することを許容する形態で仕切壁Ｒｄが設けられている。
【００４５】
尚、図示は省略するが、炉壁Ｒの側部壁面部Ｒｓのうちの被加熱物収納空間Ｕｈに対向する部分には、被加熱物Ｗを出し入れする挿脱口が形成されることになる。
【００４６】
（加熱バーナの詳細）
図１及び図２に示すように、加熱バーナＢが、上下一対の燃焼空間Ｕｎの夫々において、二つずつ設けられている。つまり、４つの側部壁面部Ｒｓのうちの左右の側部壁面部Ｒｓの夫々に、前後方向での位置を異ならせた状態で、詳しくは、左側の加熱バーナＢを後方側に位置させ、右方側の加熱バーナＢ２を前方側に位置させる状態で、一対の加熱バーナＢが配置されている。
【００４７】
図２に示すように、加熱バーナＢの夫々は、都市ガス等のガス燃料を燃焼させるものであって、炉壁Ｒの側部壁面部Ｒｓの内面に沿う火炎Ｆを形成する状態で燃焼するように構成されている。
本実施形態においては、加熱バーナＢが、蓄熱式加熱体Ｋに接触しない輝炎状の火炎Ｆを形成するように構成されている。つまり、火炎Ｆの輻射熱及び燃焼ガスの対流等を有効利用して、蓄熱式加熱体Ｋを加熱するように構成されている。
【００４８】
尚、詳細な説明は省略するが、燃焼空間Ｕｎの温度を検出する温度センサや蓄熱式加熱体Ｋの温度を検出する温度センサが設けられて、それらの温度センサの検出情報に基づいて、一対の蓄熱式加熱体Ｋの温度を目標温度（例えば、５００℃）に維持すべく、加熱バーナＢの燃焼量を制御するように構成されている。
【００４９】
ちなみに、上下一対の蓄熱式加熱体Ｋにおける下方側の蓄熱式加熱体Ｋの背面部には、加熱促進用の伝熱フィンＧが設けられて、被加熱物Ｗを載置支持することになる下方側の蓄熱式加熱体Ｋの加熱を促進するように構成されている。
尚、上方側の蓄熱式加熱体Ｋの背面部にも、下方側の蓄熱式加熱体Ｋの背面部と同様の伝熱フィンＧを設けるようにしてもよい。
【００５０】
また、側部壁面部Ｒｓのうちの燃焼空間Ｕｎに対応する部分に、燃焼空間Ｕｎの燃焼ガスを排気する排気口５が形成され、排気口５から排出される燃焼ガスを上方に案内する排気路形成部材Ｄが設けられている。
ちなみに、側部壁面部Ｒｓのうちの被加熱物収納空間Ｕｈに対応する部分にも、燃焼空間Ｕｎから被加熱物収納空間Ｕｈに流動した燃焼ガスを排気するための補助排気口６が形成され、この補助排気口６から排出される燃焼ガスも、排気路形成部材Ｄにて案内されて外部に排出されるように構成されている。
【００５１】
（実施形態のまとめ）
本実施形態の蓄熱式加熱装置は、一対の蓄熱式加熱体Ｋの加熱用接触面Ｓから離れる側の背面部を、加熱バーナＢによって加熱するものであり、加熱バーナＢは、加熱量を十分に大きくすることができるものであるから、一対の蓄熱式加熱体Ｋを加熱する速度を十分に速くすることができるため、蓄熱式加熱体Ｋから被加熱物に熱伝導される分に相当する熱量を、蓄熱式加熱体Ｋに迅速に与えるようにしながら、被加熱物Ｗを順次供給しながら、被加熱物Ｗを効率良く加熱処理することができる。
【００５２】
例えば、被加熱物Ｗを４８０℃に加熱する際に、離間状態において５００℃に加熱された一対の蓄熱式加熱体Ｋを接近状態に切換えて、一対の蓄熱式加熱体Ｋが保有する熱を被加熱物Ｗに伝えても、一対の蓄熱式加熱体Ｋの温度を４２０℃に近い温度に適切に維持できることになる。
【００５３】
また、蓄熱式加熱体Ｋが、背面部を形成する被加熱用加熱体ＫＢと加熱用接触面Ｓを形成する加熱用加熱体ＫＡとを接続した形態であるから、被加熱用加熱体ＫＢを、加熱バーナＢにて加熱されるのに適する材料にて形成し、また、加熱用加熱体ＫＡを、被加熱物Ｗに接触する加熱用接触面Ｓを精度良く形成するのに適する材料に形成する等、被加熱用加熱体ＫＢと加熱用加熱体ＫＡとを、夫々の目的に応じた材料にて形成することができる。
【００５４】
また、一対の蓄熱式加熱体Ｋの夫々の背面部に対向する端部壁面部Ｒｔ、及び、一対の蓄熱式加熱体Ｋの側周部に対向する側部壁面部Ｒｓを備えて、一対の蓄熱式加熱体Ｋを収納する収納空間Ｕを形成する炉壁Ｒが設けられて、一対の蓄熱式加熱体Ｋが、炉壁Ｒの内部の収納空間Ｕに収納されているから、蓄熱式加熱体Ｋが保有する熱が外部に逃げるのを抑制して、蓄熱式加熱体Ｋの加熱するために必要なエネルギー量を減少させることができる。
【００５５】
また、炉壁Ｒにおける蓄熱式加熱体Ｋの背面部に対向する端部壁面部Ｒｔと蓄熱式加熱体Ｋの背面部との間に相当する箇所に、加熱バーナＢが配置されているから、加熱バーナＢにて発生した熱が外部に逃げるのを抑制しながら、蓄熱式加熱体Ｋを効率良く加熱することができる。
【００５６】
また、炉体Ｒの内部の収納空間Ｕが、蓄熱式加熱体Ｋの側周部と当該側周部に対向する側部壁面部Ｒｓとの間を仕切る仕切壁Ｒｄによって、加熱バーナＢが配置される燃焼空間Ｕｎと被加熱物Ｗが配置される被加熱物収納空間Ｕｈとに区画されているから、燃焼空間Ｕｎの熱が、被加熱物収納空間Ｕｈに多量に流れることを抑制して、燃焼空間Ｕｎの内部温度を上昇させることができるため、蓄熱式加熱体Ｋを加熱する速度を一層速くすることができる。
【００５７】
仕切壁Ｒｄが、燃焼空間Ｕｎの燃焼ガスの一部が被加熱物収納空間Ｕｈに流動することを許容する形態で設けられて、燃焼空間Ｕｎの燃焼ガスの一部が、被加熱物Ｗが配置される被加熱物収納空間Ｕｈに流動することになるから、被加熱物収納空間Ｕｈの温度をも上昇させて、蓄熱式加熱体Ｋが保有する熱が被加熱物収納空間Ｕｈに放熱されることを抑制して、蓄熱式加熱体Ｋの温度低下を抑制しながら、蓄熱式加熱体Ｋと被加熱物Ｗとを接触させることができる。
【００５８】
〔別実施形態〕
次に別実施形態を説明する。
（１）上記の実施形態では、一対の蓄熱式加熱体Ｋが、接近状態において、被加熱物Ｗを加圧状態で挟むことにより、被加熱物形状の矯正と硬さの調整処理を行う場合を例示したが、一対の蓄熱式加熱体Ｋを、接近状態において、被加熱物Ｗを加圧状態で挟むことなく、単に接触させる状態で挟み込む形態で実施してもよい。
【００５９】
（２）上記の実施形態では、一対の蓄熱用加熱体Ｋを、各別に形成された被加熱用加熱体ＫＢと加熱用加熱体ＫＡを接続させる形態で構成する場合を例示したが、蓄熱用加熱体Ｋを単一の物体にて構成する形態で実施してもよい。
尚、蓄熱用加熱体Ｋを単一の物体にて構成する場合には、加熱用接触面の方が背面の大きさよりも小さくなる台座状に形成するとよい。
【００６０】
（３）上記の実施形態では、一対の蓄熱用加熱体Ｋを、矩形の板状に形成する場合を例示したが、被加熱物Ｗが円盤状である場合等においては、一対の蓄熱用加熱体Ｋを、円形の板状に形成してもよい。
【００６１】
（４）上記の実施形態では、加熱バーナＢによる蓄熱式加熱体Ｋの加熱を促進させるために、蓄熱式加熱体Ｋの背面部に、伝熱フィンＧを設ける場合を例示したが、例えば、蓄熱式加熱体Ｋの背面部を凹入状に形成する等、加熱バーナＢによる蓄熱式加熱体Ｋの加熱を促進させるための構成としては、種々の構成を採用することができる。
【００６２】
（５）上記の実施形態では、加熱バーナＢを、蓄熱式加熱体Ｋの背面部から離間し且つ輝炎状となる火炎Ｆを形成する状態で燃焼させて、輻射熱にて蓄熱式加熱体Ｋの背面部を加熱する場合を例示したが、火炎Ｆを蓄熱式加熱体Ｋの背面部に衝突させる形態で燃焼させるようにしてもよい。
【００６３】
（６）上記の実施形態では、燃焼空間Ｕｎと被加熱物収納空間Ｕｈとを連通する連通孔４を、仕切壁Ｒｄに設けることによって、加熱バーナＢの燃焼ガスの一部が被加熱物Ｗの存在側に流動することを許容する形態で仕切壁Ｒｄを設ける場合を例示したが、蓄熱式加熱体Ｋの側面と仕切壁Ｒｄとの間に、加熱バーナＢの燃焼ガスの一部が被加熱物Ｗの存在側に流動することを許容する隙間を形成するようにする等、加熱バーナＢの燃焼ガスの一部が被加熱物Ｗの存在側に流動することを許容する形態で仕切壁Ｒｄを設けるようにする具体構成は、各種変更できる。
【００６４】
（７）上記の実施形態では、板状の被加熱物Ｗの厚さ方向の両面に蓄熱式加熱体Ｋを接触させて加熱する場合を例示したが、被加熱物Ｗが、板厚が大きな直方体である場合には、板厚方向と直交する方向の４つの側面に接触させる蓄熱式加熱体Ｋを設ける形態で実施してもよい。
【００６５】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【００６６】
Ｂ        加熱バーナ
Ｋ        蓄熱式加熱体
ＫＡ      加熱用加熱体
ＫＢ      被加熱用加熱体
Ｒ        炉壁
Ｒｄ      仕切壁
Ｒｓ      側部壁面部
Ｒｔ      端部壁面部
Ｓ        加熱用接触面
Ｕ        収納空間
Ｕｈ      被加熱物収納空間
Ｕｎ      燃焼空間
Ｗ        被加熱物
【図１】
0006523013.tif 000002
【図２】
0006523013.tif 000003